(57)【要約】【課題】  通信ネットワーク上のコンテンツの中からユーザに有用なデータのみ選択表示することができる携帯端末、携帯端末の制御方法及びプログラムを提供する。【解決手段】  ブラウザ部２２が参照情報を使用して所望のコンテンツのソースをウェブサイトから取得する。解析部２４は、ブラウザ部２２が取得したソース中で指定された画像データにリンク情報が設定されているか否か、画像データのドメイン及びホームディレクトリが、ソースに含まれるテキストデータのドメイン及びホームディレクトリと一致するか否かを解析し、この解析結果に基づき表示制御部２０が、ソース中で指定された画像データの表示・非表示を決定する。【選択図】        図１
2006163743.tif 000002
【特許請求の範囲】
【請求項１】
通信ネットワーク上のコンテンツを表示可能な携帯端末であって、
前記コンテンツが存在するウェブサイトから、所望のコンテンツのソースを取得するソース取得手段と、
前記取得したソースを解析するソース解析手段と、
前記解析結果に基づき、前記ソース中で指定される所定のデータについて、表示・非表示を決定する表示制御手段と、
を備えることを特徴とする携帯端末。
【請求項２】
請求項１記載の携帯端末において、前記ソース解析手段は、前記取得したソース中で指定された画像データに他のデータへのリンクが設定されているか否かを解析し、前記表示制御手段は、この解析結果に基づき、前記画像データの表示・非表示を決定することを特徴とする携帯端末。
【請求項３】
請求項１記載の携帯端末において、前記ソース解析手段は、前記取得したソース中で指定された画像データが前記ソースに含まれるテキストデータと同一のドメイン内にあるか否かを解析し、前記表示制御手段は、この解析結果に基づき、前記画像データの表示・非表示を決定することを特徴とする携帯端末。
【請求項４】
請求項１記載の携帯端末において、前記ソース解析手段は、前記取得したソース中で指定された画像データが前記ソースに含まれるテキストデータとホームディレクトリが共通であるか否かを解析し、前記表示制御手段は、この解析結果に基づき、前記画像データの表示・非表示を決定することを特徴とする携帯端末。
【請求項５】
請求項１記載の携帯端末において、前記ソース解析手段は、前記取得したソース中で指定された画像データに他のデータへのリンクが設定されているか否か、前記画像データが前記ソースに含まれるテキストデータと同一のドメイン内にあるか否か、前記画像データが前記ソースに含まれるテキストデータとホームディレクトリが共通であるか否かを解析し、前記表示制御手段は、これらの解析結果に基づき、前記画像データの表示・非表示を決定することを特徴とする携帯端末。
【請求項６】
請求項５記載の携帯端末において、前記表示制御手段は、前記画像データについて、他のデータへのリンクが設定されているか否か、前記ソースに含まれるテキストデータと同一のドメイン内にあるか否か、前記ソースに含まれるテキストデータとホームディレクトリが共通であるか否かの判断結果を点数化し、点数の合計が所定の閾値以上である場合に前記画像データの表示を決定することを特徴とする携帯端末。
【請求項７】
通信ネットワーク上のコンテンツを表示可能な携帯端末の制御方法であって、
前記コンテンツが存在するウェブサイトから、所望のコンテンツのソースを取得するステップと、
前記取得したソースを解析するステップと、
前記解析結果に基づき、前記ソース中の所定のデータについて、表示・非表示を決定するステップと、
を備えることを特徴とする携帯端末の制御方法。
【請求項８】
通信ネットワーク上のコンテンツが存在するウェブサイトから、所望のコンテンツのソースを取得し、
前記取得したソースを解析し、
前記解析結果に基づき、前記ソース中の所定のデータについて、表示・非表示を決定する処理をコンピュータに実行させることを特徴とするプログラム。
【発明の詳細な説明】
【技術分野】
【０００１】
本発明は、通信ネットワーク上のコンテンツを表示可能な携帯端末、携帯端末の制御方法及びプログラムの改良に関する。
【背景技術】
【０００２】
従来より、携帯端末でインターネット等の通信ネットワーク上に存在するコンテンツを表示・閲覧するための技術が種々提案されている。
【０００３】
例えば、下記特許文献１には、ウェブサーバとプロキシサーバとの間に情報変換装置を設け、画像データ等を携帯端末の表示画面のサイズに応じて適宜変換する情報変換システムが開示されている。
【特許文献１】特開２００４−１３３５３２号公報
【発明の開示】
【発明が解決しようとする課題】
【０００４】
しかし、上記従来の技術においては、通信速度と描画速度が非力な携帯端末に、画像等の容量の大きなデータを送信するので、携帯端末におけるデータ処理に時間がかかり、ユーザに大きなストレスを与えるという問題があった。
【０００５】
このような問題を解決するために、例えば画像取得の有無を携帯端末側で設定することも考えられるが、画像取得をしない設定とした場合に、ユーザにとって有用な画像まで取得できなくなるという問題がある。
【０００６】
本発明は、上記従来の課題に鑑みなされたものであり、その目的は、通信ネットワーク上のコンテンツの中からユーザに有用なデータのみ選択表示することができる携帯端末、携帯端末の制御方法及びプログラムを提供することにある。
【課題を解決するための手段】
【０００７】
上記目的を達成するために、本発明は、通信ネットワーク上のコンテンツを表示可能な携帯端末であって、前記コンテンツが存在するウェブサイトから、所望のコンテンツのソースを取得するソース取得手段と、前記取得したソースを解析するソース解析手段と、前記解析結果に基づき、前記ソース中で指定される所定のデータについて、表示・非表示を決定する表示制御手段と、を備えることを特徴とする。
【０００８】
また、上記ソース解析手段は、前記取得したソース中で指定された画像データに他のデータへのリンクが設定されているか否かを解析し、前記表示制御手段は、この解析結果に基づき、前記画像データの表示・非表示を決定することを特徴とする。
【０００９】
また、ソース解析手段は、前記取得したソース中で指定された画像データが前記ソースに含まれるテキストデータと同一のドメイン内にあるか否かを解析し、前記表示制御手段は、この解析結果に基づき、前記画像データの表示・非表示を決定することを特徴とする。
【００１０】
また、上記ソース解析手段は、前記取得したソース中で指定された画像データが前記ソースに含まれるテキストデータとホームディレクトリが共通であるか否かを解析し、前記表示制御手段は、この解析結果に基づき、前記画像データの表示・非表示を決定することを特徴とする。
【００１１】
さらに、上記ソース解析手段は、前記取得したソース中で指定された画像データに他のデータへのリンクが設定されているか否か、前記画像データが前記ソースに含まれるテキストデータと同一のドメイン内にあるか否か、前記画像データが前記ソースに含まれるテキストデータとホームディレクトリが共通であるか否かを解析し、前記表示制御手段は、これらの解析結果に基づき、前記画像データの表示・非表示を決定することを特徴とする。
【００１２】
ここで、上記表示制御手段は、前記画像データについて、他のデータへのリンクが設定されているか否か、前記ソースに含まれるテキストデータと同一のドメイン内にあるか否か、前記ソースに含まれるテキストデータとホームディレクトリが共通であるか否かの判断結果を点数化し、点数の合計が所定の閾値以上である場合に前記画像データの表示を決定することを特徴とする。
【００１３】
また、本発明は、通信ネットワーク上のコンテンツを表示可能な携帯端末の制御方法であって、前記コンテンツが存在するウェブサイトから、所望のコンテンツのソースを取得するステップと、前記取得したソースを解析するステップと、前記解析結果に基づき、前記ソース中の所定のデータについて、表示・非表示を決定するステップと、を備えることを特徴とする。
【００１４】
また、本発明は、プログラムであって、通信ネットワーク上のコンテンツが存在するウェブサイトから、所望のコンテンツのソースを取得し、前記取得したソースを解析し、前記解析結果に基づき、前記ソース中の所定のデータについて、表示・非表示を決定する処理をコンピュータに実行させることを特徴とする。
【発明の効果】
【００１５】
本発明によれば、ソースの解析結果に基づき、ソース中の所定のデータについて表示・非表示を決定するので、ユーザに有用なデータのみ選択表示することができる。
【発明を実施するための最良の形態】
【００１６】
以下、本発明を実施するための最良の形態（以下、実施形態という）を、図面に従って説明する。
【００１７】
図１には、本発明にかかる携帯端末の一実施形態の構成のブロック図が示される。図１において、携帯端末は、表示部１０、操作部１２、記憶部１４、通信部１６及び制御部１８を含んで構成されている。
【００１８】
表示部１０は、例えば液晶ディスプレイ等で構成され、文字データ、数値データ等のキー入力の内容、各種図形、通信ネットワーク上のコンテンツの内容等を表示する。
【００１９】
上記キー入力は、図１の操作部１２により行う。この操作部１２は、例えば携帯端末の操作ボタン等により構成される。
【００２０】
記憶部１４は、例えば制御部１８の作業用のＲＡＭ、不揮発性メモリとしてのＥＥＰＲＯＭ、磁気記憶媒体等で構成されており、キー入力の内容やコンテンツの内容等のデータ及びプログラムが記憶される。
【００２１】
通信部１６は、公知の方法により基地局と通信して携帯通信端末としての通話機能を実現している。
【００２２】
制御部１８は、例えばＣＰＵ等で構成され、表示部１０、操作部１２、記憶部１４及び通信部１６とデータのやり取りを行いながらこれらの動作を制御する。
【００２３】
制御部１８の表示制御部２０は、表示部１０に表示される内容を制御する。この表示には、通信ネットワーク上のコンテンツの表示も含まれ、表示制御部２０は、解析部２４の解析結果に基づき上記コンテンツのソース中で指定される所定のデータについて、表示・非表示を決定する処理も実行する。
【００２４】
また、ブラウザ部２２は、通信ネットワーク上に存在するコンテンツを参照するための参照情報を用いてコンテンツにアクセスし、コンテンツのソースを所望のウェブサイトから受け取って表示データに変換する。なお、コンテンツには音声データも含まれていてよく、この場合、ブラウザ部２２は、通信部１６に含まれる音声再生部から音声を出力させるように構成される。また、上記参照情報としては、インターネット上のコンテンツを特定し、このコンテンツの所在を指示するＵＲＬ（Ｕｎｉｆｏｒｍ  Ｒｅｓｏｕｒｃｅ  Ｌｏｃａｔｏｒ）等を使用することができる。ここで、ブラウザ部２２は、本発明のソース取得手段として機能する。
【００２５】
また、解析部２４は、ブラウザ部２２が取得したコンテンツのソースの性質を解析する。この解析の内容は、例えば画像データにリンク情報が設定されているか、ソースに含まれるテキストデータと同一のドメイン内にあるか否か、ソースに含まれるテキストデータとホームディレクトリが共通であるか否か等である。
【００２６】
なお、上述した制御部１８は、ＣＰＵを中心として構成されたコンピュータであってよく、この場合、メモリカードその他の媒体に格納されたプログラムをＣＰＵが実行することで制御部１８の各機能が実現される。
【００２７】
図２には、図１に示された携帯端末の動作の例のフローが示される。図２において、ブラウザ部２２が参照情報を使用して所望のコンテンツのソースをウェブサイトから取得すると（Ｓ１）、ソースに含まれるテキストデータをブラウザ部２２が表示データに変換し、表示制御部２０が表示部１０の表示画面に表示する（Ｓ２）。
【００２８】
また、解析部２４は、上記ブラウザ部２２が取得したソースを解析し、この解析結果に基づき表示制御部２０が、ソース中で指定された画像データの表示・非表示を決定する（Ｓ３）。ここで、上記解析部２４が、本発明のソース解析手段として機能する。
【００２９】
Ｓ３において、画像データを表示すると決定された場合は（Ｓ４）、ブラウザ部２２が表示データに変換し、表示制御部２０が表示部１０の表示画面に表示する（Ｓ５）。また、Ｓ４において、画像データを非表示と決定された場合は、Ｓ５の処理を実行しない。
【００３０】
図３には、図２のＳ３に示されたソース解析処理の例が示される。図３において、解析部２４は、ブラウザ部２２が取得したソース中で指定された画像データにリンク情報が設定されているか否かを解析し、リンク情報の有無の結果Ａを表示制御部２０に渡す。このリンク情報の設定の有無は、例えばソースがＨＴＭＬで記述されている場合には、その記述形式が、図４の（１）または（２）のいずれであるかにより決定できる。解析部２４は、上記（１）の記述形式の場合には、画像データにリンク情報が設定されておらず、（２）の記述形式の場合には、画像データにリンク情報が設定されていると判断する。画像データにリンク情報が設定されている場合は、当該画像データがロゴ表示やバナー広告等ユーザにとって有用ではない画像データである可能性が高く、表示の必要性は低いと判断できる。
【００３１】
また、解析部２４は、上記画像データのドメイン及びホームディレクトリが、ソースに含まれるテキストデータのドメイン及びホームディレクトリと一致するか否かも判断し、ドメインの同一、非同一の結果Ｂとホームディレクトリの同一、非同一の結果Ｃも表示制御部２０に渡す。
【００３２】
ここで、テキストデータ、画像データ等の存在位置がＵＲＬで表されている場合、ＵＲＬは、ｈｔｔｐ：／／ドメイン／ホームディレクトリ／下位ディレクトリの形式で記述されている。ドメインは、通信ネットワーク上のサーバを示し、ホームディレクトリ以下の階層はサーバ内の位置を示している。従って、解析部２４は、テキストデータ及び画像データの存在位置を表すＵＲＬを解析し、上記ドメイン及びホームディレクトリの同一・非同一を判断する。ＵＲＬのドメインが一致していれば、テキストデータと画像データが同一のドメイン内にあることになり、ＵＲＬのホームディレクトリが一致していれば、テキストデータと画像データとでホームディレクトリが共通であることになる。
【００３３】
テキストデータとドメイン及びホームディレクトリが一致しない画像データは、様々な文書に共通に使用する画像データを格納するサーバに存在していると考えられ、例えばロゴ表示やバナー広告等ユーザにとって有用ではない画像データである可能性が高い。このため、表示の必要性は低いと判断できる。
【００３４】
表示制御部２０では、画像データにリンク情報が設定されているか否かの情報Ａ、テキストデータと画像データが同一のドメイン内にあるか否かの情報Ｂ及びテキストデータと画像データとでホームディレクトリが共通であるか否かの情報Ｃを受け取ると、これらの結果に基づいて、画像データの表示・非表示を決定する。この決定には、例えばアンド（ａｎｄ）条件を使用し、情報Ａがリンク情報無し、かつ情報Ｂがドメイン一致、かつ情報Ｃがホームディレクトリ共通の場合のみ画像データを表示と決定する方法がある。また、オア（ｏｒ）条件を使用して、情報Ａがリンク情報無し、または情報Ｂがドメイン一致、または情報Ｃがホームディレクトリ共通の場合に画像データを表示と決定する方法でもよい。また、情報Ａ、Ｂ、Ｃを点数化し、各情報の点数を合計して所定の閾値以上である場合に画像データを表示と決定してもよい。この点数化は、例えば情報Ａがリンク情報無しの場合に５０点、情報Ｂがドメイン一致の場合に２０点、情報Ｃがホームディレクトリ共通の場合に３０点というように、各情報の重み付を考慮して傾斜配点とするのが、画像データの表示・非表示の決定を最適化する観点から好適である。
【００３５】
さらに、図５には、画像データの表示・非表示を決定する方法の他の例が示される。図５において、情報Ａがリンク情報無しの場合をＴ、リンク情報有りの場合をＦで示し、情報Ｂがドメイン一致の場合をＴ、ドメイン不一致の場合をＦで示し、情報Ｃがホームディレクトリ共通の場合をＴ、ホームディレクトリが共通でない場合をＦで示している。また、表示・非表示決定の欄には、上記情報Ａ、Ｂ、ＣのＴ及びＦの組み合わせに基づいて決定された、画像データを表示するか否かの結果が示される。このように、情報Ａ、Ｂ、ＣのＴ及びＦの組み合わせに基づいて画像データの表示・非表示を決定することにより、情報Ａ、Ｂ、Ｃについて適切な重み付けを行うことができ、適切な判断が可能となる。
【００３６】
図６（ａ）には、全ての画像データを表示した携帯端末の表示画面の例が示され、図６（ｂ）には、本実施形態に化かかる携帯端末の表示画面の例が示される。
【００３７】
図６（ａ）においては、ロゴ表示２６、バナー広告２８が、本文中のテキストデータ３０及び写真画像３２とともに表示されている。これに対して、図６（ｂ）では、解析部２４によるソースの解析結果に基づき、表示制御部２０がロゴ２６、バナー広告２８の表示を行わないので、ユーザにとって有用なテキストデータ３０及び写真画像３２だけが表示されている。なお、この場合、ロゴ２６及びバナー広告２８の表示領域は空欄となる。これにより、不要な画像データを表示しなくて済むので、携帯端末におけるデータ処理時間を短縮できる。
【図面の簡単な説明】
【００３８】
【図１】本発明にかかる携帯端末の一実施形態の構成のブロック図である。
【図２】図１に示された携帯端末の動作の例のフロー図である。
【図３】ソース解析処理の例を示す図である。
【図４】ＨＴＭＬで記述されたソースの例を示す図である。
【図５】画像データの表示・非表示を決定する方法の他の例を示す図である。
【図６】携帯端末の表示画面の例を示す図である。
【符号の説明】
【００３９】
１０  表示部、１２  操作部、１４  記憶部、１６  通信部、１８  制御部、２０  表示制御部、２２  ブラウザ部、２４  解析部、２６  ロゴ表示、８  バナー広告、３０  テキストデータ、３２  写真画像。
【図１】
2006163743.tif 000003
【図２】
2006163743.tif 000004
【図３】
2006163743.tif 000005
【図４】
2006163743.tif 000006
【図５】
2006163743.tif 000007
【図６】
2006163743.tif 000008